(57)【要約】 【課題】  角度変更用の基台を設けなくとも照射方向の調整が可能な照明装置を提供する。【解決手段】  光源を内蔵する筐体を備えた照明装置である。筐体の外周面には、当該筐体が設置される被設置体に対して個別に当接される複数の平面状の設置領域が形成されている。設置領域は、平面状の設置領域全体からなる平面状部、平面状の設置領域の外周縁全体からなる枠状部、少なくとも３つの断続的な辺部及び少なくとも３つの凸部のうちいずれか１つによって形成されている。互いに隣接する前記設置領域の各法線がなす角度が９０度よりも小さい。【選択図】        図２
2013020897.tif 000002
【特許請求の範囲】
【請求項１】
光源を内蔵する筐体を備えた照明装置において、
前記筐体の外周面には、当該筐体が設置される被設置体に対して個別に当接される複数の平面状の設置領域が形成されていて、
前記設置領域は、前記平面状の設置領域全体からなる平面状部、前記平面状の設置領域の外周縁全体からなる枠状部、少なくとも３つの断続的な辺部及び少なくとも３つの凸部のうちいずれか１つによって形成され、
互いに隣接する前記設置領域の各法線がなす角度が９０度よりも小さいことを特徴とする照明装置。
【請求項２】
請求項１記載の照明装置において、
前記筐体の外周面は、前記枠状部を含む平面状の領域を有していることを特徴とする照明装置。
【請求項３】
請求項２記載の照明装置において、
複数の前記設置領域の間には前記筐体の内側と外側とを連通する隙間が形成されていることを特徴とする照明装置。
【請求項４】
請求項３記載の照明装置において、
前記隙間には、前記筐体の内部から延びるケーブルが進入自在であることを特徴とする照明装置。
【請求項５】
請求項１記載の照明装置において、
前記設置領域における前記枠状部の内側は空間となっていることを特徴とする照明装置。
【請求項６】
請求項１記載の照明装置において、
前記少なくとも３つの断続的な辺部及び前記少なくとも３つの凸部のいずれかの間を、前記筐体の内部から延びるケーブルが進入自在であることを特徴とする照明装置。
【請求項７】
請求項１乃至６の何れか一項に記載の照明装置において、
前記筐体の前記複数の設置領域が、正多面体および切頂正多面体のうちのいずれかの形状をなしていることを特徴とする照明装置。
【発明の詳細な説明】
【技術分野】
【０００１】
本発明は、照明装置に関する。
【背景技術】
【０００２】
従来、例えばムードランプとしての機能を備えた照明装置においては、照射方向を変更可能とするために、装置本体を基台上に載置し、当該装置本体を前後左右に自由に回動させることのできる照明装置が知られている（例えば特許文献１参照）。
【先行技術文献】
【特許文献】
【０００３】
【特許文献１】特開２００９−８８２２号公報
【発明の概要】
【発明が解決しようとする課題】
【０００４】
しかしながら、従来の照明装置は、照射方向を変更可能とするために、装置本体の他に基台が必要であったので、基台の分だけ大型化してしまうという問題があった。また、装置本体を基台に対して角度変更可能とするために、ヒンジ構造を必要とする場合には構造が複雑になり、コストが上昇してしまうという問題があった。
そこで本発明は、角度変更用の基台を設けなくとも照射方向の変更が可能な照明装置を提供することを課題とする。
【課題を解決するための手段】
【０００５】
以上の課題を解決するため、本発明の一の態様によれば、
光源を内蔵する筐体を備えた照明装置において、
前記筐体の外周面には、当該筐体が設置される被設置体に対して個別に当接される複数の平面状の設置領域が形成されていて、
前記設置領域は、前記平面状の設置領域全体からなる平面状部、前記平面状の設置領域の外周縁全体からなる枠状部、少なくとも３つの断続的な辺部及び少なくとも３つの凸部のうちいずれか１つによって形成され、
互いに隣接する前記設置領域の各法線がなす角度が９０度よりも小さいことを特徴とする照明装置が提供される。
【発明の効果】
【０００６】
本発明によれば、角度変更用の基台を設けなくとも照射方向の変更が可能な照明装置を提供することが可能となる。
【図面の簡単な説明】
【０００７】
【図１】本発明の実施形態に係る照明装置の概略構成を示す斜視図である。
【図２】図１の照明装置に備わる筐体の概略構成を示す正面図である。
【図３】図１の照明装置に備わる筐体の概略構成を示す背面図である。
【図４】図１の照明装置に備わる筐体の概略構成を示す左側面図である。
【図５】図１の照明装置に備わる筐体の概略構成を示す右側面図である。
【図６】図１の照明装置に備わる筐体の概略構成を示す平面図である。
【図７】図１の照明装置に備わる筐体の概略構成を示す底面図である。
【図８】図２におけるVIII−VIII切断面からみた断面図である。
【図９】本実施形態の照明装置における主制御構成を示すブロック図である。
【図１０】（ａ），（ｂ）は図１の照明装置による照射方向について説明するための模式図である。
【図１１】本実施形態の照明装置においてケーブルの引き出し位置を調整する状態を示す斜視図である。
【図１２】本実施形態に係る筐体の変形例を示す斜視図である。
【図１３】本実施形態に係る筐体の変形例を示す斜視図である。
【図１４】本実施形態に係る筐体の変形例を示す斜視図である。
【図１５】本実施形態に係る筐体の変形例を示す斜視図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態に係る照明装置の概略構成を示す斜視図である。図１に示すように、照明装置１には、光源１１（図９参照）を内蔵する筐体２と、光源１１から筐体２の外部に延びるケーブル３と、ケーブル３の先端に取り付けられた電源接続部４とが設けられている。
【００１０】
図２〜図８は筐体２の概略構成を示す説明図であり、図２は筐体２の正面図、図３は筐体２の背面図、図４は筐体２の左側面図、図５は筐体２の右側面図、図６は筐体２の平面図、図７は筐体２の底面図、図８は図２におけるVIII−VIII切断面からみた断面図である。
これら図２〜図８に示すように、筐体２は、例えば略正２０面体の外観形状をなしている。筐体２は、例えば机などの被設置体Ｔ（図１０参照）に対して設置されるものである。この筐体２の外周面をなす各面体２１は、正三角形状をなしていて、各面体２１の外周辺が無端状の辺部２２となっている。これにより、筐体２の外周面は、無端状の辺部２２を含む平面状部を有した形状となる。この場合、無端状の各辺部２２は正三角形状をなしている。また、隣接する無端状の辺部２２同士は互いの間に隙間２４が介在されていて互いに離間している。各面体２１を被設置体Ｔに個別に当接させれば、その当接された面体２１が筐体２を支持する設置領域となる。
そして、図８に示すように各面体２１は、筐体２の内部に設けられた透光性の内部ケース２３に取り付けられている。具体的には各面体２１の内側には突起２６が形成されていて、この突起２６を内部ケース２３の外周面に形成された凹部２７に嵌合させることで、各面体２１が内部ケース２３に取り付けられている。前述したように各面体２１は、略正２０面体の外観形状をなしているため、互いに隣接する面体２１の各法線がなす角度θが９０度より小さくなっている。
また、内部ケース２３の内側には図示しない光源が配置されている。各面体２１同士の間には、筐体２の内側と外側とを連通する隙間２４が形成されている。この隙間２４は、ケーブル３が通過可能な幅に形成されている。
【００１１】
各面体２１の表面は平面状に形成されている。すなわち設置領域全体が平面状である。また、無端状の辺部２２は、平面状の設置領域の外周縁全体からなる枠状部である。ここで平面状とは、表面が完全な平面である場合だけでなく、全体としての平面性を維持していればよい。例えば、全体として平面形状ではあるがその平面性を確保できる程度に、表面上に滑り止め用の微小な凹凸を形成していてもよい。
また各面体２１のうち、いくつかの面体２１は光源からの光を外部に透過するため、例えばハーフミラーなどの透光性を有する部材から形成されている。その他の面体２１は遮光性を有する部材から形成されている。図１〜７及び図１０では、透光性を有する面体２１に対し斜線を付すとともに、符号２１１，２１２，２１３，２１４を付している。透光性を有する面体２１のうち、光源に対向する一つの面体２１（２１１）には、光源からの光を筐体２の外部に向けて照射するレンズ２５が設けられている。透光性を有する部材の配置は一例であり、他の配置にしてもよい。
【００１２】
図９は照明装置１における主制御構成を示すブロック図である。制御部１０は、ＣＰＵ、ＲＡＭ、ＲＯＭ、電源を備えており、図９に示すように光源１１及び通信部１２が電気的に接続されている。ケーブル３は電源接続部４に接続された先端とは反対側の端部である他端が電源に接続されている。電源接続部４がコンセントに挿入された状態において、当該電源に電力が供給される。通信部１２は、光源１１を種々の投影パターンで照射させるための投影データを無線により受信するようになっている。通信部１２で投影データを受信すると、制御部１０はその投影データに基づいて光源１１を制御し、所定の投影パターンでの照射を実行するようになっている。
【００１３】
次に、本実施形態の作用について説明する。
外部から送信された投影データを通信部１２が受信すると、制御部１０はその投影データに基づいて光源１１を制御し、所定の投影パターンでの照射を実行する。光源１１が点灯すると、光源１１から発せられた光は、レンズ２５を通過し、透光性を有する面体２１から外部へと照射される。
このとき照射方向を変更する場合には、被設置体Ｔに接する面体２１を他の面体２１に切り替えることで照射方向が変更される。図１０（ａ），（ｂ）は図１の照明装置による照射方向について説明するための模式図である。図１０（ａ），（ｂ）の各矢印は、本実施形態の照明装置１による照射方向の中心の向きＰ１、Ｐ２を表している。向きＰ１、Ｐ２はともに面体２１１の法線に平行である。図１０（ａ）は筐体２の複数の設置領域のうち、いずれか一つの面体２１を被設置体Ｔに当接させた状態を示していて、図１０（ｂ）は筐体２の複数の設置領域のうち、図１０（ａ）において被設置体Ｔに当接させた面体２１に隣接する他の面体２１を被設置体Ｔに当接させた状態を示している。図１０に示すように、被設置体Ｔに当接させる面体２１を変えるだけで、照射方向を変更することができる。被設置体Ｔに当接する面体２１を隣接する面体２１間で変更する場合、照射方向の変動値は１８０度−θである。ここで、向きＰ１とＰ２とがなす角度をθとする。上述したように、隣接する面体２１の各法線がなす角度θが９０度より小さいために、変動値は９０度未満となり、９０度未満で照射方向を変更することが可能である。
【００１４】
また、角度によっては、ケーブル３の引き出し位置を変更する必要性もあるが、その場合、図１１に示すようにケーブル３を隙間２４内で移動させれば、引き出し位置の変更も可能である。
【００１５】
以上のように、本実施形態によれば、被設置体に接する面体２１を他の面体２１に切り替えることで照射方向を変更することができる。したがって、従来では必要であった角度変更用の基台を設けなくとも照射方向を変更することが可能となる。
【００１６】
また、設置領域が面体２１であるように辺部２２の内側が平面状に形成されているので、被設置体Ｔとの設置面積を確保することができ、照明装置１自体の位置ズレを抑制することができる。
【００１７】
また、複数の面体２１の間には筐体２の内側と外側とを連通する隙間２４が形成されていて、隙間２４にはケーブル３が進入自在であるので、その隙間２４内でケーブル３を移動させることができ、ケーブル３の引き出し位置を変更することができる。また、その隙間２４によって筐体２内に溜まった熱量を外部に放熱することができる。
【００１８】
なお、本発明は上記実施形態に限らず適宜変更可能である。なお、以下の説明において上記実施形態と同一の部分は同一符号を付してその説明を省略する。
例えば、上記実施形態では、外部の電源に電源接続部４を接続することで電力が供給される場合を例示して説明したが、筐体２内に電池設置部を設け、当該電池設置部に電池を取り付けることで電池による電力供給で駆動するようにしてもよい。
また、上記実施形態では無線により投影データを受信する場合を例示したが、例えばＬＡＮケーブル等を接続して有線で投影データを受信する方式であってもよいし、ＵＳＢメモリーのような記憶媒体を接続することで投影データを取り込む方式であってもよい。
また、隙間２４内に進入可能なケーブルとしては、上記した電源用のケーブル３以外にも、ＬＡＮケーブル等その他の配線ケーブルなどが挙げられる。
また、筐体２の内部と外部とを連通する放熱用の切欠を少なくとも一つ面体２１に形成してもよい。この場合、より高い放熱性を確保することができる。
【００１９】
また、上記実施形態では、設置領域が面体２１である場合を例示して説明したが、設置領域が辺部のみからなり、その内側が空間となっていてもよい。こうした場合、筐体の内部と外部とを連通する領域をより確保することができるので、放熱性をより一層高めることができる。
例えば、図１２に示す筐体２Ａのように、３２面体（切頂２０面体）の各面の内接円をくり抜いた領域を設置領域３１としている。この設置領域３１においては、当該設置領域３１の外周円が無端状の辺部３２となっている。この場合、無端状の各辺部３２は円形状をなしている。すなわち、この円形状の辺部３２が、平面状の設置領域の外周縁全体からなる枠状部である。また、隣接する無端状の辺部３２同士は、辺部３２の一部を互いに共有していて互いに繋がっている。図１２の筐体２Ａの場合においても互いに隣接する設置領域３１の各法線がなす角度が９０度より小さいので、被設置体Ｔに接する設置領域３１を他の設置領域３１に切り替えることで照射方向を９０度未満で変更することができる。
この場合、各辺部３２は互いに繋がった形状になっている。また、３２面体の各頂点と内部ケース２３とが互いに接続されることによって、各辺部３２が内部ケース２３に固定されている。この場合、３２面体の各頂点と内部ケース２３の中心とを結ぶ仮想的な直線上に、各頂点と内部ケース２３とに接続された固定部材を配置することによって、各辺部３２を内部ケース２３に固定してもよい。
【００２０】
また、図１３に示す筐体２Ｂのように、正２０面体の各設置領域２１ｂを辺部２２ｂのみで形成してもよい。この場合、無端状の各辺部２２ｂは正三角形状をなしている。すなわち、この正三角形状の３つの辺部２２ｂが、平面状の設置領域の外周縁全体からなる枠状部である。また、隣接する無端状の辺部２２ｂ同士は、辺部２２ｂの一部を互いに共有していて、互いにつながっている。また、各辺部２２ｂと内部ケース２３とが直接接続されることによって、各辺部２２ｂが内部ケース２３に固定されている。この場合、正２０面体の各頂点と内部ケース２３の中心とを結ぶ仮想的な直線上に、各頂点と内部ケース２３とに接続された固定部材を配置することによって、固定部材を介して各辺部２２ｂを内部ケース２３に固定してもよい。
さらに、図１４に示す筐体２Ｃのように、正２０面体の各設置領域２１ｃを、少なくとも３つの断続的な辺部２２ｃにより形成してもよい。例えば、図１４において一点鎖線で示す設置領域２１ｃを挙げて説明すると、当該設置領域２１ｃの各角をなす３つの辺部２２ｃにより設置領域２１ｃが形成されている。正２０面体の各頂点と内部ケース２３の中心とを結ぶ仮想的な直線上に、各頂点と内部ケース２３とに接続された固定部材を配置することによって、固定部材を介して各辺部２２ｃが内部ケース２３に固定されている。また、各辺部２２ｃと内部ケース２３とが直接接続されることによって、各辺部２２ｃを内部ケース２３に固定してもよい。この場合、上記実施形態に比べて、ケーブル３の取り回しが容易になる。
さらに、図１５に示す筐体２Ｄのように、正２０面体の各設置領域２１ｄを、少なくとも３つの凸部２２ｄにより形成してもよい。例えば、図１５において一点鎖線で示す設置領域２１ｄを挙げて説明すると、当該設置領域２１ｄの各頂点をなす３つの凸部２２ｄにより設置領域２１ｄが形成されている。この場合、上記実施形態に比べて、ケーブル３の取り回しがより一層容易になる。
【００２１】
なお、上記実施形態では、筐体が正２０面体や３２面体（切頂二十面体）の場合を例示したが、正８面体や正１２面体などの他の正多面体であってもよい。
また、隣接する２つの設置領域３１の各法線がなす角度が９０度よりも小さければ、筐体の複数の設置領域がなす形状は正多面体でなくてもよく、正多面体の頂点を切断した形状である切頂正多面体であってもよい。
さらに、１つの照明装置において、複数の設置領域を形成する際に、上述した複数種の設置領域、即ち、平面状の設置領域の外周縁全体からなる枠状部、少なくとも３つの断続的な辺部、および、少なくとも３つの凸部のいずれかを互いに組み合わせてもよいことは言うまでもない。
【００２２】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００２３】
〔付記〕
［１］
光源を内蔵する筐体を備えた照明装置において、
前記筐体の外周面には、当該筐体が設置される被設置体に対して個別に当接される複数の平面状の設置領域が形成されていて、
前記設置領域は、前記平面状の設置領域全体からなる平面状部、前記平面状の設置領域の外周縁全体からなる枠状部、少なくとも３つの断続的な辺部及び少なくとも３つの凸部のうちいずれか１つによって形成され、
互いに隣接する前記設置領域の各法線がなす角度が９０度よりも小さいことを特徴とする照明装置。
［２］
本付記欄の上記１記載の照明装置において、
前記筐体の外周面は、前記枠状部を含む平面状の領域を有していることを特徴とする照明装置。
［３］
本付記欄の上記２記載の照明装置において、
複数の前記設置領域の間には前記筐体の内側と外側とを連通する隙間が形成されていることを特徴とする照明装置。
［４］
本付記欄の上記３記載の照明装置において、
前記隙間には、前記筐体の内部から延びるケーブルが進入自在であることを特徴とする照明装置。
［５］
本付記欄の上記１記載の照明装置において、
前記設置領域における前記枠状部の内側は空間となっていることを特徴とする照明装置。
［６］
本付記欄の上記１記載の照明装置において、
前記少なくとも３つの断続的な辺部及び前記少なくとも３つの凸部のいずれかの間を、前記筐体の内部から延びるケーブルが進入自在であることを特徴とする照明装置。
［７］
本付記欄の上記１乃至６の何れか一項に記載の照明装置において、
前記筐体の前記複数の設置領域が、正多面体および切頂正多面体のうちのいずれかの形状をなしていることを特徴とする照明装置。
【符号の説明】
【００２４】
１      照明装置
２      筐体
３      ケーブル
４      電源接続部
１０      制御部
１１      光源
１２      通信部
２１      面体（設置領域）
２２      辺部（枠状部）
２３      内部ケース
２４      隙間
２５      レンズ
２６      突起
２７      凹部
【図１】
2013020897.tif 000003
【図２】
2013020897.tif 000004
【図３】
2013020897.tif 000005
【図４】
2013020897.tif 000006
【図５】
2013020897.tif 000007
【図６】
2013020897.tif 000008
【図７】
2013020897.tif 000009
【図８】
2013020897.tif 000010
【図９】
2013020897.tif 000011
【図１０】
2013020897.tif 000012
【図１１】
2013020897.tif 000013
【図１２】
2013020897.tif 000014
【図１３】
2013020897.tif 000015
【図１４】
2013020897.tif 000016
【図１５】
2013020897.tif 000017